(57)【要約】【課題】アクティブシールドでは、これによる測定誤差の抑制効果を安定して得るために、そのドライブ回路に広い周波数帯域で安定して動作するバッファアンプが必要であるため、装置のコストが高くなる。【解決手段】本発明によるシールドケーブルでは、芯線とシールドとの間のドライブ回路に付加した帯域制限回路の周波数特性を調整することで、測定に不必要な所定の周波数帯域においてドライブ回路の出力電圧を減少させることが可能となる。この結果、斯かる所定の周波数帯域においてはアクティブシールドの機能を低下させることができる。従って、バッファアンプは、斯かる所定の周波数帯域を除く周波数帯域（測定に必要な帯域を含む。）に対応したものであれば良く、安価なバッファアンプを使用して低コストなアクティブシールドを構成することが可能となる。【選択図】図２
2005137683.tif 000002
【特許請求の範囲】
【請求項１】
電気信号を伝達するための芯線と、この芯線の外周に配設されると共にドライブ回路を介してこの芯線に接続されたシールドとを備えてなるシールドケーブルであって、
前記ドライブ回路が、所定の周波数帯域において出力電圧を減少せしめる帯域制限回路を有することを特徴とするシールドケーブル。
【請求項２】
前記シールドの外周に配設されると共に低インピーダンスで且つ安定した電位に接続された第２シールドを更に備えてなることを特徴とする請求項１記載のシールドケーブル。
【請求項３】
前記第２シールドの接続電位が接地電位であることを特徴とする請求項２記載のシールドケーブル。
【請求項４】
生体の任意の２点間に電極を介して高周波微弱電流を供給し、この電流経路内の電位差を電極を介して測定することにより生体電気インピーダンス値又は生体組成情報を取得する装置であって、
この装置の本体と前記電極とを接続する電気ケーブルが、電気信号を伝達するための芯線と、この芯線の外周に配設されると共に所定の周波数帯域において出力電圧を減少せしめる帯域制限回路を有するドライブ回路を介してこの芯線に接続されたシールドとを備えてなることを特徴とする生体電気インピーダンス値又は生体組成情報の取得装置。
【請求項５】
前記電気ケーブルが、前記シールドの外周に配設されると共に低インピーダンスで且つ安定した電位に接続された第２シールドを更に備えてなることを特徴とする請求項４記載の生体電気インピーダンス値又は生体組成情報の取得装置。
【請求項６】
前記第２シールドの接続電位がこの取得装置の接地電位であることを特徴とする請求項５記載の生体電気インピーダンス値又は生体組成情報の取得装置。
【発明の詳細な説明】
【技術分野】
【０００１】
この発明は、電気信号の伝達に用いるシールドケーブル、及び斯かるシールドケーブルを用いて生体電気インピーダンス値や生体組成情報を取得する装置に関する。
【背景技術】
【０００２】
生体の任意の２点間に電極を介して高周波微弱電流を供給し、この電流経路内の電位差を電極を介して測定することにより生体電気インピーダンス値を取得する装置、又はこの生体電気インピーダンス値若しくは前記測定した電位差に基づいて生体組成情報を取得する装置は良く知られている。斯かる装置では、生体の任意の２点間に高周波電流を供給し、及び／又はこの電流経路内の電位差を測定するために、電気ケーブルを介して装置本体に接続された電極を複数用いることがある。
【０００３】
従来、これらの電極を装置本体に接続する電気ケーブルには、単一の導電性芯線を絶縁体で被膜した単芯ケーブルが用いられてきたが、斯かる単芯ケーブルでは、芯線を流れる電気信号が、ケーブル同士の間の静電容量を通して他のケーブルとの間で相互に流れてしまい、或いはケーブルと対地間の浮遊容量を通して大地に流れてしまい、測定誤差を生じ易かった。これらの誤差は、ケーブルの位置関係によってケーブル間の静電容量や対地間の浮遊容量が変化するため誤差量も変化し、測定の再現性を著しく悪化させるものであった。また、これらの誤差は、比較的長いケーブルを用いている場合（装置本体と測定対象たる生体との距離が大きい場合）に大きくなり、測定に使用する電気信号の周波数が高いほど大きくなる。特に、生体の電位信号が伝達される電位差測定用の電気ケーブルは、インピーダンスが非常に高く、また外部からの雑音に対して弱く、その影響を受け易い。また、これらの影響は、生体電気インピーダンスの絶対値及びその位相の誤差となるが、測定に使用する電気信号の周波数が高いほど、後者（位相の誤差）が大きく現われる傾向にある。
【０００４】
斯かる測定誤差を抑制する方法として、前記電気ケーブルにシールドケーブルを用いた所謂アクティブシールドという方法が知られている（例えば、非特許文献１参照。）。これは、芯線を覆う被膜の外周にシールドを配設すると共に、芯線を伝達する電気信号と同一の又は僅かに小さな電気信号でこのシールドをドライブするもので、シールドにより芯線が外部から遮断されるために芯線を伝達する電気信号はケーブル間の静電容量及び対地間の浮遊容量の影響を受けなくなり、また、シールドが芯線と同電位を保つようにドライブされるために芯線とシールドとの間の静電容量も見かけ上は無くなるものである。この結果、前述の如き測定誤差は抑制されることになる。
【０００５】
また、電気ケーブルと対地間の浮遊容量に関し、本願出願人は、電位差測定に用いる電極の近傍に高入力インピーダンスバッファ回路を配設すると共に、斯かる電極と装置本体とを接続する電気ケーブルにシールドケーブルを用い、このシールドを接地電位に接続することで、ケーブルと対地間の浮遊容量の影響を回避することが可能な生体インピーダンス測定装置を提案している（特許文献１参照。）。
【０００６】
【非特許文献１】Settle等，「Nutritional Assessment: Whole Body Impedance and Body Fluid Compartments」，NUTRITION AND CANCER，1980，vol.2，No.1，p.72−80
【特許文献１】特開２００１−６１８０４号公報
【発明の開示】
【発明が解決しようとする課題】
【０００７】
前述したアクティブシールドでは、これによる測定誤差の抑制効果を安定して得るために、そのドライブ回路に広い周波数帯域で安定して動作するバッファアンプが必要であるため、装置のコストが高くなるという問題がある。
【０００８】
一般的に、容量性の負荷が接続されたバッファアンプは、高周波の寄生発振を起こし易く、不安定な場合が多い。即ち、バッファアンプを適用したアクティブシールドは、それ自体が正帰還ループを構成することになるため、このバッファアンプのゲインが１よりも大きいと、バッファアンプの入力側と出力側との間で正帰還による発振を起こしてしまう。斯かる寄生発振を防ぐためには、バッファアンプのゲインは１以下でなければならず、そのようなゲイン＋１のバッファアンプを広い周波数帯域で実現しようとすると、バッファアンプのコストが上昇し、装置全体のコストを高くしてしまう。
【０００９】
しかも、斯かるバッファアンプは、シールドケーブルを生体電気インピーダンスや生体組成情報の取得装置に用いる場合には、測定対象（生体）の負荷が純抵抗ではなくそのインピーダンス状況により変化しても安定した動作を広帯域に亘って実現する必要があるため、更に高価なものとなってしまう。
【００１０】
また、アクティブシールドは、シールド自体がアンテナとして機能してしまい、これを接続した装置本体の内部で発生した電磁波雑音を、シールドを通して外部に放射してしまうことがある。この結果、周辺に他の電子機器等が存在するような環境では、これら他の電子機器に影響を与えてしまう可能性がある。
【００１１】
一方、前記特許文献１に開示された如きシールドケーブル、即ち、接地電位に接続されたシールドケーブルは、同特許文献１の生体インピーダンス測定装置のように電極近傍に高入力インピーダンスバッファ回路が配設されることにより芯線を伝達する電気信号は低いインピーダンスで駆動されるため、その減衰は僅かである。しかしながら、電極近傍に高入力インピーダンスバッファ回路が配設されていない場合には、芯線を伝達する電気信号の周波数が高い場合ほど、接地電位に接続されたシールドを介して電気信号が大地に流れてしまい、測定誤差を発生させる要因となる。
【課題を解決するための手段】
【００１２】
本発明のシールドケーブルは、電気信号を伝達するための芯線と、この芯線の外周に配設されると共にドライブ回路を介してこの芯線に接続されたシールドとを備えてなるシールドケーブルであって、前記ドライブ回路が、所定の周波数帯域において出力電圧を減少せしめる帯域制限回路を有することとする。
【００１３】
また、本発明のシールドケーブルは、前記シールドの外周に配設されると共に低インピーダンスで且つ安定した電位に接続された第２シールドを更に備えてなることとする。
【００１４】
尚、前記第２シールドの接続電位は、接地電位であることが好ましい。
【００１５】
また、本発明の生体電気インピーダンス値又は生体組成情報の取得装置は、生体の任意の２点間に電極を介して高周波微弱電流を供給し、この電流経路内の電位差を電極を介して測定することにより生体電気インピーダンス値又は生体組成情報を取得する装置であって、この装置の本体と前記電極とを接続する電気ケーブルが、電気信号を伝達するための芯線と、この芯線の外周に配設されると共に所定の周波数帯域において出力電圧を減少せしめる帯域制限回路を有するドライブ回路を介してこの芯線に接続されたシールドとを備えてなることとする。
【００１６】
また、本発明の生体電気インピーダンス値又は生体組成情報の取得装置は、前記電気ケーブルが、前記シールドの外周に配設されると共に低インピーダンスで且つ安定した電位に接続された第２シールドを更に備えてなることとする。
【００１７】
尚、前記第２シールドの接続電位は、この取得装置の接地電位であることが好ましい。
【発明の効果】
【００１８】
本発明によるシールドケーブルでは、芯線とシールドとの間のドライブ回路に付加した帯域制限回路の周波数特性を調整（任意に設定）することで、測定に不必要な所定の周波数帯域においてドライブ回路の出力電圧を減少させることが可能となる。この結果、斯かる所定の周波数帯域を除く周波数帯域（測定に必要な帯域を含む。）においてはアクティブシールドの効果を維持しつつ、斯かる所定の周波数帯域においてはアクティブシールドの機能を低下させること、即ち、ドライブ回路を構成するバッファアンプのゲインを意図的に１よりも小さくすることができる。従って、バッファアンプは、斯かる所定の周波数帯域を除く周波数帯域（測定に必要な帯域を含む。）に対応したものであれば良く、安価なバッファアンプを使用して低コストなアクティブシールドを構成することが可能となる。同時に、シールドを通して外部に放射される電磁波雑音を減少させる効果も期待できる。
【００１９】
また、前記シールドの外周に、低インピーダンスで且つ安定した電位、好ましくは接地電位に接続された第２シールドを配設した場合には、前記シールドを通して外部に放射される電磁波雑音を略確実に抑制することができると共に、外部から流入してくる電磁波雑音に対する耐性を向上させることができる。尚、斯かる第２シールドを配設した場合でも、測定に必要な周波数帯域では、アクティブシールドが有効に機能しているため、第２シールドが芯線を伝達する電気信号に影響を及ぼすことはない。
【００２０】
また、本発明による生体電気インピーダンス又は生体組成情報の取得装置では、この装置本体と電極とを接続する電気ケーブルを、本発明によるシールドケーブルで構成しているので、生体に供給する高周波電流値及び／又は生体に生じる電位差の測定に必要な周波数帯域においてはアクティブシールドの効果を維持して測定誤差の発生を抑制しつつ、アクティブシールドのドライブ回路のコストを抑えて装置全体のコスト上昇を抑えることができる。
【００２１】
また、前記電気ケーブルが、低インピーダンスで且つ安定した電位、好ましくは取得装置本体の接地電位に接続された第２シールドを備えたものとした場合には、装置本体の内部で発生する電磁波雑音の外部放射や、外部から装置本体への電磁波雑音の流入を防ぐことができる。従って、周辺に他の電子機器等が存在するような環境下においても、これら他の電子機器に影響を与え、又はこれら他の電子機器からの影響を受けることなく、斯かる取得装置を使用することができる。
【発明を実施するための最良の形態】
【００２２】
本発明のシールドケーブルは、芯線とこの芯線に接続されたシールドとの間のドライブ回路に帯域制限回路を付加することによって、測定に不必要な所定の周波数帯域ではアクティブシールドの機能を低下させ、以ってドライブ回路のバッファアンプには斯かる所定の周波数帯域を除く周波数帯域（測定に必要な帯域を含む。）のみに対応した安価なものを使用して、低コストなアクティブシールドを構成することで、装置の測定精度及び測定の再現性を向上させつつ、装置全体のコストの低減を図るものである。
【００２３】
また、本発明のシールドケーブルは、前記シールドの外周に、低インピーダンスで且つ安定した電位、好ましくは接地電位に接続された第２シールドを配設することにより、前記シールドを通して外部に放射される電磁波雑音を略確実に抑制し、また外部から流入してくる電磁波雑音に対する耐性を向上させるものである。
【００２４】
また、本発明の生体電気インピーダンス又は生体組成情報の取得装置は、この装置本体と電極とを本発明のシールドケーブルで接続し、以って生体に供給する高周波電流値及び／又は生体に生じる電位差の測定に必要な周波数帯域においてはアクティブシールドの効果を維持して測定誤差の発生を抑制しつつ、シールドケーブルのコストを抑えて装置全体のコスト上昇を抑えるものである。また、装置本体の内部で発生する電磁波雑音の外部放射や、外部から装置本体への電磁波雑音の流入を第２シールドによって防ぎ、周辺に他の電子機器等が存在するような環境下においても、これら他の電子機器に影響を与え、又はこれら他の電子機器からの影響を受けることなく、斯かる取得装置を使用することができるようにするものである。
【実施例】
【００２５】
以下、図面を参照して本発明の好適実施例を説明する。図１は、本発明による生体組成情報取得装置の全体構成を示す概略図である。図２及び図３は、図１の生体組成情報取得装置に適用された本発明によるシールドケーブルの要部構成を示す概略図である。図４は、本発明によるシールドケーブルのドライブ回路の周波数特性を表す図である。図５は、本発明によるシールドケーブルのドライブ回路の構成パターンを表す図である。
【００２６】
本発明による生体組成情報取得装置は、被験者（生体）の任意の２点間に高周波微弱電流を供給すると共にこの電流経路内に生じる電位差を測定し、供給した電流値と測定した電位差とから被験者の生体電気インピーダンス値を求め、この生体電気インピーダンス値と、別途被験者が入力した身長、体重、性別、年齢等の個人データとに基づいて、被験者の体脂肪量（率）、内臓脂肪面積、体水分量（率）、筋肉量（率）、骨量、基礎代謝量といった生体組成情報を算出するものである。
【００２７】
この装置は、図１に示すように、本体１と、４つの電極１０９、２０９、３０９、４０９と、これら本体１と各電極１０９、２０９、３０９、４０９とを夫々電気的に接続する４本の電気ケーブル１００、２００、３００、４００とで構成されている。電極１０９及び２０９は、生体の任意の２点間に高周波微弱電流を供給するための電極であり、電極３０９及び４０９は、電極１０９及び２０９によって生体中に形成される電流経路内の電位差を測定するための電極である。各電気ケーブル１００、２００、３００、４００は、夫々の電極１０９、２０９、３０９、４０９を生体に貼付するために必要充分な長さを備えている。
【００２８】
本体１は、この装置で算出した生体組成情報等を表示するための表示部２と、被験者の個人データ等を入力するための入力部３と、生体組成情報の算出プログラム等が格納されたＲＯＭ４と、斯かる算出プログラム等を実行する際の一時記憶領域たるＲＡＭ５と、斯かる算出プログラム等を実行するためのＣＰＵ６と、前記個人データや算出された生体組成情報等を保存しておくための補助記憶装置７と、前記表示部２や入力部３と前記ＣＰＵ６との間のデータ入出力等を管理するための外部入出力インターフェース部８と、本体１内の各電気回路に電力を供給するための電源９と、前記電気ケーブル１００及び２００を介して前記電極１０９及び２０９に高周波微弱電流を供給するための高周波定電流出力部１０と、この高周波定電流出力部１０から出力された電流値を検出するための電流検出部１１と、この電流検出部１１で検出した電流値信号をデジタル変換するためのＡ／Ｄコンバータ１２と、前記電気ケーブル３００及び４００を介して前記電極３０９と前記電極４０９との間の電位差を検出する電位差検出部１３と、この電位差検出部１３で検出した電位差信号をデジタル変換するためのＡ／Ｄコンバータ１４とを備えている。
【００２９】
前記電気ケーブル１００は、図２にその要部構成を示すように、電気信号（ここでは、前記高周波定電流出力部１０から出力された高周波微弱電流）を伝達するための芯線１０１と、この芯線１０１を覆う絶縁性の被膜１０２と、この被膜１０２の外周を覆う導電性のシールド１０３（以下、便宜的に「内側シールド」と称する。）と、この内側シールド１０３を覆う絶縁性の被膜１０４と、この被膜１０４の外周を覆う導電性の第２シールド１０５（以下、便宜的に「外側シールド」と称する。）と、この外側シールド１０５を覆う絶縁性の被膜１０６とを備え、以って二重シールドケーブルとされている。尚、前記電気ケーブル２００は電気ケーブル１００と同一の構成を備えるものであるため、説明は省略する。
【００３０】
電気ケーブル１００の芯線１０１は、フェライトビーズＦＢ１２とダイオードＤ１３及びＤ１４とで構成された保護回路１０７を介して、前記電流検出部１１に配設された抵抗１１ａに接続されている。そして、この抵抗１１ａは前記高周波定電流出力部１０に接続されており、抵抗１１ａの両端部が電流値検出用のバッファアンプ１１ｂの入力側に接続され、このバッファアンプ１１ｂの出力側が前記Ａ／Ｄコンバータ１２に接続されている。即ち、前記高周波定電流出力部１０から出力されて電気ケーブル１００の芯線１０１に流れる電流値は、バッファアンプ１１ｂで検出される抵抗１１ａの前後の電位差に基づいて測定されるものである。
【００３１】
また、電気ケーブル１００の芯線１０１と前記内側シールド１０３とは、ドライブ回路１１０を介して接続されている。このドライブ回路１１０は、入力側が芯線１０１（保護回路１０７）と前記電流検出部１１とを接続する導線１０１ａに接続されると共に出力側が内側シールド１０３に接続された、ゲイン＋１のバッファアンプ１１１を備えており、このバッファアンプ１１１と内側シールド１０３との間には、抵抗Ｒ１１及びＲ１２とコンデンサＣ１とで構成された帯域制限回路１１２と、フェライトビーズＦＢ１１とダイオードＤ１１及びＤ１２とで構成された保護回路１１３とが配設されている。
【００３２】
斯かる帯域制限回路１１２により、このドライブ回路１１０は、図４に実線で示す如き周波数特性を有するものとされている。図４において、横軸は周波数を、縦軸は電圧を表す。また、Ｖｉはドライブ回路１１０への入力電圧を、Ｖｏはドライブ回路１１０からの出力電圧を表す。即ち、ドライブ回路１１０は、回路定数により定まる所定の周波数Ｆｃよりも低い周波数帯域では入力電圧Ｖｉに略等しい出力電圧Ｖｏを出力し、周波数Ｆｃを超える周波数帯域ではこの出力電圧Ｖｏが減少するものである。
【００３３】
この結果、電気ケーブル１００は、周波数Ｆｃ以下の帯域では内側シールド１０３が芯線１０１と略同電位でドライブされ、内側シールド１０３がアクティブシールドとして機能し、芯線１０１を伝達する電気信号の減衰が抑制される。一方、周波数Ｆｃを越える帯域では、ドライブ回路１１０の出力電圧が減少するため内側シールド１０３はアクティブシールドとしては機能せず、芯線１０１と内側シールド１０３との間の静電容量の影響によって芯線１０１を伝達する電気信号は減衰する。
【００３４】
ここで、前記所定の周波数Ｆｃは、この生体組成情報取得装置における測定に必要な周波数帯域を含むように設定されており、斯かる周波数帯域ではアクティブシールドの効果が維持されるものである。尚、周波数Ｆｃは、式１に従って抵抗Ｒ１１及びＲ１２の抵抗値とコンデンサＣ１の容量とを選定することで、任意に設定することができる。
【００３５】
Ｆｃ＝（Ｒ１１＋Ｒ１２）／２π×Ｃ１×Ｒ１１×Ｒ１２    ・・・式１
【００３６】
尚、斯かる帯域制限回路１１２は、図５に示すように、前記バッファアンプ１１１の入力側に配設しても良く（図５（ａ）参照）、バッファアンプ１１１の入力側と出力側の両方に配設しても良い（図５（ｂ）参照）。
【００３７】
一方、外側シールド１０５は、低インピーダンスで且つ安定した電位である接地電位１０８に接続されている。これにより、本体１の内部で発生する電磁波雑音が電気ケーブル１００を通して外部に放射されることが抑制され、且つ、外部からの電磁波雑音が外側シールド１０５より内側に侵入することが妨げられている。
【００３８】
次に、電気ケーブル３００は、図３にその要部構成を示すように、電気信号（ここでは、前記電極３０９で検出した電位信号）を伝達するための芯線３０１を備え、前記電気ケーブル１００及び２００と同様に、この芯線３０１を覆う絶縁性の被膜３０２と、この被膜３０２の外周を覆う導電性の内側シールド３０３と、この内側シールド３０３を覆う絶縁性の被膜３０４と、この被膜３０４の外周を覆う導電性の外側シールド３０５と、この外側シールド３０５を覆う絶縁性の被膜３０６とによって、二重シールドケーブルとされている。尚、前記電気ケーブル４００は電気ケーブル３００と同一の構成を備えるものであるため、説明は省略する。
【００３９】
そして、電気ケーブル３００の芯線３０１は、フェライトビーズＦＢ３２とダイオードＤ３３及びＤ３４とで構成された保護回路３０７を介して、前記電位差検出部１３に配設された電位差検出用のバッファアンプ１３ａの一方の入力側に接続されている。また、このバッファアンプ１３ａの他方の入力側には電気ケーブル４００の芯線４０１が接続され、このバッファアンプ１３ａの出力側は前記Ａ／Ｄコンバータ１４に接続されている。即ち、前記電極３０９と前記電極４０９との間の電位差は、バッファアンプ１３ａで測定されるものである。
【００４０】
また、電気ケーブル３００の芯線３０１（正確には、前記保護回路３０７と前記電位差検出部１３とを接続する導線３０１ａ）と前記内側シールド３０３とは、ドライブ回路３１０を介して接続されている。このドライブ回路３１０は、前記電気ケーブル１００のドライブ回路１１０と同様に、その入力側が芯線３０１に接続されると共に出力側が内側シールド３０３に接続されたゲイン＋１のバッファアンプ３１１を備えており、このバッファアンプ３１１と内側シールド３０３との間には、抵抗Ｒ３１及びＲ３２とコンデンサＣ３とで構成された帯域制限回路３１２と、フェライトビーズＦＢ３１とダイオードＤ３１及びＤ３２とで構成された保護回路３１３とが配設されている。
【００４１】
このドライブ回路３１０も、前記電気ケーブル１００の帯域制限回路１１２と同様に、図４に示す如き周波数特性となるように帯域制限回路３１２の抵抗Ｒ３１及びＲ３２とコンデンサＣ３とが適宜に選定されており、従ってこの生体組成情報取得装置における測定に必要な周波数帯域では内側シールド３０３がアクティブシールドとして機能し、測定に不必要な周波数帯域ではアクティブシールドの機能が低下するものである。
【００４２】
また、外側シールド３０５も、前記電気ケーブル１００の外側シールド１０５と同様に、低インピーダンスで且つ安定した電位である接地電位３０８に接続されている。これにより、本体１の内部で発生する電磁波雑音が電気ケーブル３００を通して外部に放射されることが抑制され、且つ、外部からの電磁波雑音が外側シールド３０５より内側に侵入することが妨げられている。
【００４３】
尚、図１に示すように、各電気ケーブル１００、２００、３００及び４００の保護回路１０７、２０７、３０７及び４０７、ドライブ回路１１０、２１０、３１０及び４１０、並びに接地電位１０８、２０８、３０８及び４０８は、夫々本体１に配設されている。
【００４４】
以上の如く、本実施例の電気ケーブル１００、２００、３００、４００は、芯線１０１、２０１、３０１、４０１と内側シールド１０３、２０３、３０３、４０３との間のドライブ回路１１０、２１０、３１０、４１０に帯域制限回路１１２、２１２、３１２、４１２を付加することによって測定に不必要な所定の周波数帯域ではアクティブシールドの機能を低下させており、これにより、ドライブ回路１１０、２１０、３１０、４１０のバッファアンプ１１１、２１１、３１１、４１１には斯かる所定の周波数帯域を除く周波数帯域（測定に必要な帯域を含む。）のみに対応した安価なものを使用して、低コストなシールドケーブルとされている。
【００４５】
また、本実施例の電気ケーブル１００、２００、３００、４００は、前記内側シールド１０３、２０３、３０３、４０３の外周に、接地電位１０８、２０８、３０８、４０８に接続された外側シールド１０５、２０５、３０５、４０５を配設することにより、前記内側シールド１０３、２０３、３０３、４０３を通して外部に放射される電磁波雑音を略確実に抑制し、また外部から流入してくる電磁波雑音に対する耐性を向上させている。
【００４６】
また、本実施例の生体組成情報取得装置は、この装置本体１と電極１０９、２０９、３０９、４０９とを前記電気ケーブル１００、２００、３００、４００で接続する構成としているので、生体に供給する高周波電流値及び／又は生体に生じる電位差の測定に必要な周波数帯域においてはアクティブシールドの効果を維持して測定誤差の発生を抑制しつつ、電気ケーブル１００、２００、３００、４００のコストを抑えて装置全体のコスト上昇が抑えられている。また、本実施例の生体組成情報取得装置は、装置本体１の内部で発生する電磁波雑音の外部放射や、外部から装置本体への電磁波雑音の流入が外側シールド１０５、２０５、３０５、４０５によって防がれるので、周辺に他の電子機器等が存在するような環境下においても、これら他の電子機器に影響を与え、又はこれら他の電子機器からの影響を受けることなく、斯かる取得装置を使用することができる。
【００４７】
尚、本発明のシールドケーブルは、本実施例の如く生体電気インピーダンスや生体組成情報を取得する装置のみならず、電気信号を伝達するための電気ケーブルに広く適用して実施することができる。
【００４８】
また、本発明の生体電気インピーダンス又は生体組成情報の取得装置は、装置本体と電極とを接続する全ての電気ケーブルを本発明のシールドケーブルとしなくとも、例えば電位差を測定するための電気ケーブルのみを本発明のシールドケーブルとする等、適宜に変形して実施することができる。或いはまた、本発明の生体電気インピーダンス又は生体組成情報の取得装置は、高周波微弱電流を供給するための電極及び電気ケーブルと電位差を測定するための電極及び電気ケーブルとを、夫々２本以上（例えば、４本ずつ等）備えたものであっても良い。
【図面の簡単な説明】
【００４９】
【図１】本発明による生体組成情報取得装置の全体構成を示す概略図である。
【図２】図１の生体組成情報取得装置に適用された本発明によるシールドケーブルの要部構成を示す概略図である。
【図３】図１の生体組成情報取得装置に適用された本発明によるシールドケーブルの要部構成を示す概略図である。
【図４】本発明によるシールドケーブルのドライブ回路の周波数特性を表す図である。
【図５】本発明によるシールドケーブルのドライブ回路の構成パターンを表す図である。
【符号の説明】
【００５０】
１  本体
２  表示部
３  入力部
４  ＲＯＭ
５  ＲＡＭ
６  ＣＰＵ
７  補助記憶装置
８  外部入出力インターフェース
９  電源
１０  高周波定電流出力部
１１  電流検出部
１１ａ  抵抗
１１ｂ  バッファアンプ
１２  Ａ／Ｄコンバータ
１３  電位差検出部
１３ａ  バッファアンプ
１４  Ａ／Ｄコンバータ
１００、２００、３００、４００  電気ケーブル（シールドケーブル）
１０１、２０１、３０１、４０１  芯線
１０２、２０２、３０２、３０３  被膜
１０３、２０３、３０３、４０３  シールド（内側シールド）
１０４、２０４、３０４、４０４  被膜
１０５、２０５、３０５、４０５  第２シールド（外側シールド）
１０６、２０６、３０６、４０６  被膜
１０７、２０７、３０７、４０７  保護回路
１０８、２０８、３０８、４０８  接地電位
１０９、２０９、３０９、４０９  電極
１１０、２１０、３１０、４１０  ドライブ回路
１１１、２１１、３１１、４１１  バッファアンプ
１１２、２１２、３１２、４１２  帯域制限回路
１１３、２１３、３１３、４１３  保護回路
【図１】
2005137683.tif 000003
【図２】
2005137683.tif 000004
【図３】
2005137683.tif 000005
【図４】
2005137683.tif 000006
【図５】
2005137683.tif 000007